(57)【要約】【課題】安価な構成で、安全スイッチが動作した瞬間の乗客コンベアの利用状況を容易に確認できる乗客コンベアの監視システムを提供する。【解決手段】エスカレータの利用状況を静止画として撮像するデジタルスチルカメラ１４を建物の天井等に設置すると共に、このデジタルスチルカメラ１４の動作を制御するカメラコントローラ１５をエスカレータの制御盤８等に組み込む。そして、エスカレータの安全スイッチ１６が動作したタイミングでカメラコントローラ１５からデジタルスチルカメラ１４に対してシャッタオン信号を送信し、デジタルスチルカメラ１４で安全スイッチ１６が動作した瞬間の画像を撮像する。【選択図】　　　図２
2004018167.tif 000002
【特許請求の範囲】
【請求項１】
乗客コンベアを被写体とした静止画を撮像する画像撮像手段と、
前記画像撮像手段の動作を制御する撮像制御手段とを備え、
前記撮像制御手段が、前記乗客コンベアに設けられた安全スイッチが動作したタイミングで前記画像撮像手段にシャッタオン信号を送信すること
を特徴とする乗客コンベアの監視システム。
【請求項２】
前記画像撮像手段が、撮像した静止画のデータを前記撮像制御手段に送信すること
を特徴とする請求項１に記載の乗客コンベアの監視システム。
【請求項３】
前記撮像制御手段に接続される画像表示手段を更に備え、この画像表示手段に前記安全スイッチが動作したときの前記乗客コンベアを被写体とした静止画を表示させて、前記乗客コンベアの利用状況を確認させること
を特徴とする請求項２に記載の乗客コンベアの監視システム。
【請求項４】
前記画像撮像手段の撮影角度を可変とするアクチュエータを更に備え、
動作した安全スイッチ近傍の拡大画像が前記画像撮像手段によって撮像されるように、前記撮像制御手段が、前記安全スイッチが動作したタイミングで前記アクチュエータを駆動制御して前記画像撮像手段の撮影角度を調整すること
を特徴とする請求項１乃至３の何れかに記載の乗客コンベアの監視システム。
【発明の詳細な説明】
【０００１】
【発明の属する技術分野】
本発明は、エスカレータや動く歩道等の乗客コンベアの利用状況を監視するための監視システムに関する。
【０００２】
【従来の技術】
近年、高齢化社会の到来を背景に、エスカレータや動く歩道といったような人荷を搬送する乗客コンベアの設置が急ピッチで進められている。このような乗客コンベアには、乗客の安全性を確保するために建築基準法施行令で定められた所定の安全対策を施すことが義務づけられており、例えば、インレットスイッチやスカートガードスイッチ、踏段スイッチ等の各種安全スイッチが設けられている。これらの安全スイッチは、乗客コンベアの可動部に乗客の手足や荷物等が挟み込まれたとき等に動作するものであり、これら安全スイッチが動作したときは、乗客コンベアの運転を停止させて乗客の安全確保を図るようになっている。
【０００３】
ところで、乗客が不正な乗り方で乗客コンベアを利用した場合等においては、以上のような安全スイッチが本来の目的以外で動作して、乗客コンベアの運転が停止する場合もある。具体的には、例えば、乗客がベビーカーやショッピングカートを強引に踏段上に乗せようとして、車輪がインレットスイッチやスカートガードスイッチを押圧してしまう場合や、車輪が踏段を持ち上げて踏段スイッチを動作させてしまう場合があり、このような場合にも乗客コンベアの運転は停止することになる。
【０００４】
安全スイッチが動作した場合には、その動作原因を突き止めて必要な対策を講じることが望まれるが、以上のように安全スイッチが本来の目的以外で動作した場合には、その動作原因を追及することが困難なことが多い。そこで、安全スイッチの動作が頻発する場合には、乗客コンベアの付近にビデオカメラを設置して、このビデオカメラで乗客コンベア運転時の利用状況を監視し、安全スイッチが動作した場合の動作原因の解明に役立てる試みもなされている。
【０００５】
【発明が解決しようとする課題】
しかしながら、乗客コンベアの付近にビデオカメラを設置して乗客コンベアの利用状況を監視するようにした場合、ビデオカメラ自体が高価なことに加えて、安全スイッチ動作時以外の正常な運転時の画像も連続的に撮像する必要があるため、コストが嵩むという問題がある。また、記録媒体としてビデオテープが用いられるため、撮影時間がビデオテープの記録容量によって制限されると共に、ビデオテープに記録された画像の中から安全スイッチ動作時の画像を探し出す作業が煩雑であるという問題も生じる。
【０００６】
本発明は、以上のような従来の実情に鑑みて創案されたものであって、安価な構成で、安全スイッチが動作した瞬間の乗客コンベアの利用状況を容易に確認できる乗客コンベアの監視システムを提供することを目的としている。
【０００７】
【課題を解決するための手段】
本発明に係る乗客コンベアの監視システムは、乗客コンベアを被写体とした静止画を撮像する画像撮像手段と、前記画像撮像手段の動作を制御する撮像制御手段とを備え、前記撮像制御手段が、前記乗客コンベアに設けられた安全スイッチが動作したタイミングで前記画像撮像手段にシャッタオン信号を送信することを特徴としている。
【０００８】
この乗客コンベアの監視システムでは、乗客コンベアの安全スイッチが動作したタイミングで、撮像制御手段から画像撮像手段に対してシャッタオン信号が送信される。そして画像撮像手段は、撮像制御手段からのシャッタオン信号を受信すると、このシャッタオン信号に基づいて、乗客コンベアを被写体とした静止画を撮像する。したがって、この乗客コンベアの監視システムでは、安全スイッチが動作した瞬間の乗客コンベアの様子が静止画として撮像されることになる。
【０００９】
【発明の実施の形態】
以下、本発明の実施の形態を図面を参照して詳細に説明する。なお、ここでは、上下階に亘って人荷を搬送するエスカレータに本発明を適用した例について具体的に説明するが、本発明は、水平方向に人荷を搬送する動く歩道に対しても有効に適用可能である。
【００１０】
（第１の実施形態）
本発明を適用したエスカレータの一例を図１に模式的に示す。この図１に示すエスカレータ１は、上下階を有する建物や屋外に設置されて上階と下階とに亘って人荷を搬送するものであり、無端状に連結されて循環移動する複数の踏段２を備えている。
【００１１】
乗り口から降り口に向かう往路側の複数の踏段２の左右両側には、これら踏段２の移動軌跡に沿って一対のスカートガード３が設けられている。これら一対のスカートガード３は、僅かな隙間を存して踏段２を移動可能に挟み込むように、相対向して設けられている。そして、これら一対のスカートガード３の上部にはそれぞれ欄干４が立設されており、この欄干４により、踏段２と同期して循環移動するハンドレール５が支持されている。
【００１２】
また、踏段２の下方には、エスカレータ１の自重及び乗客の荷重を支えるトラス６と呼ばれる躯体部分が設けられており、このトラス６の内部に、帰還側の踏段２やこの踏段２の移動を案内する踏段レール等が配設されている。また、トラス６の内部には、例えば上階側の水平部分に位置して機械室が設けられており、この機械室内に、踏段２及びハンドレール５を駆動する駆動機７や、エスカレータ１全体の動作を制御する制御盤８等が配設されている。
【００１３】
駆動機７は、モータの駆動力を駆動チェーン９及び駆動スプロケット１０を介して踏段チェーン１１に伝達して、踏段チェーン１１を送り動作させるようになっている。この踏段チェーン１１は、駆動スプロケット１０と従動スプロケット１２との間に掛け渡されており、駆動スプロケット１０が回転すると踏段チェーン１１が駆動スプロケット１０と従動スプロケット１２との間を周回して、この踏段チェーン１０にて連結された踏段２が乗り口と降り口との間を循環移動するようになっている。また、ハンドレール５は、駆動スプロケット１０の回転がチェーン等を介して間接的に伝達されることで、踏段２と同期して乗り口と降り口との間を循環移動するようになっている。
【００１４】
制御盤８には、エスカレータ１全体の動作を制御するための動作制御回路１３を有している。そして、エスカレータ１の各部がこの動作制御回路１３に基づいて動作されることで、エスカレータ１全体の動作が制御されるようになっている。また、本発明を適用したエスカレータ１では、この制御盤８に、後述するデジタルスチルカメラ（画像撮像手段）１４の動作を制御するためのカメラコントローラ（撮像制御手段）１５が組み込まれており、このカメラコントローラ１５による制御のもとで、デジタルスチルカメラ１４によってエスカレータ１を被写体とした静止画が撮像されるようになっている。
【００１５】
また、このエスカレータ１において、ハンドレール５がスカートガード３の内部に入り込む入込口及び帰還側の出口には、ハンドレール５の入込口に乗客の手や荷物等が挟み込まれたことを検出するインレットスイッチ（安全スイッチ）１６ａが設けられている。そして、このインレットスイッチ１６ａが動作すると、制御盤８の動作制御回路１３の処理に応じて、エスカレータ１の運転が停止されるようになっている。
【００１６】
また、本発明を適用したエスカレータ１においては、このインレットスイッチ１６ａが動作したときに、制御盤８に組み込まれたカメラコントローラ１５からデジタルスチルカメラ１４に対してシャッタオン信号が送信されるようになっている。そして、デジタルスチルカメラ１４が、このシャッタオン信号に基づいて、インレットスイッチ１６ａが動作した瞬間のエスカレータ１の様子を静止画として撮像するようになっている。なお、ハンドレール５の帰還側の出口にもインレットスイッチ１６ａが設けられているのは、エスカレータ１を逆転運転してハンドレール５の移動方向が逆転した場合に対応させるためである。
【００１７】
また、このエスカレータ１において、乗り口付近や降り口付近に位置するスカートガード３の所定の箇所には、循環移動する踏段２とスカートガード３との間の隙間に乗客の靴や荷物等が挟み込まれたことを検出するスカートガードスイッチ（安全スイッチ）１６ｂが設けられている。そして、このスカートガードスイッチ１６ｂが動作すると、制御盤８の動作制御回路１３の処理に応じて、エスカレータ１の運転が停止されるようになっている。
【００１８】
また、本発明を適用したエスカレータ１においては、このスカートガードスイッチ１６ｂが動作したときに、制御盤８に組み込まれたカメラコントローラ１５からデジタルスチルカメラ１４に対してシャッタオン信号が送信されるようになっている。そして、デジタルスチルカメラ１４が、このシャッタオン信号に基づいて、スカートガードスイッチ１６ｂが動作した瞬間のエスカレータ１の様子を静止画として撮像するようになっている。
【００１９】
また、このエスカレータ１において、踏段２がトラス６の内部に入り込む入込口及び帰還側の出口に設置されるコム１７の下方には、踏段２の入込口に乗客の靴や荷物等が挟み込まれたことを検出するコムスイッチ（安全スイッチ）１６ｃが設けられている。そして、このコムスイッチ１６ｃが動作すると、制御盤８の動作制御回路１３の処理に応じて、エスカレータ１の運転が停止されるようになっている。
【００２０】
また、本発明を適用したエスカレータ１においては、このコムスイッチ１６ｃが動作したときに、制御盤８に組み込まれたカメラコントローラ１５からデジタルスチルカメラ１４に対してシャッタオン信号が送信されるようになっている。そして、デジタルスチルカメラ１４が、このシャッタオン信号に基づいて、コムスイッチ１６ｃが動作した瞬間のエスカレータ１の様子を静止画として撮像するようになっている。なお、踏段２の帰還側の出口にもコムスイッチ１６ｃが設けられているのは、エスカレータ１を逆転運転して踏段２の移動方向が逆転した場合に対応させるためである。
【００２１】
また、このエスカレータ１において、乗り口付近や降り口付近を段差運動しながら移動する踏段２の下方には、隣接する踏段２間の隙間に乗客の靴や荷物等が挟み込まれたことを検出する踏段スイッチ（安全スイッチ）１６ｄが設けられている。そして、この踏段スイッチ１６ｄが動作すると、制御盤８の動作制御回路１３の処理に応じて、エスカレータ１の運転が停止されるようになっている。
【００２２】
また、本発明を適用したエスカレータ１においては、この踏段スイッチ１６ｄが動作したときに、制御盤８に組み込まれたカメラコントローラ１５からデジタルスチルカメラ１４に対してシャッタオン信号が送信されるようになっている。そして、デジタルスチルカメラ１４が、このシャッタオン信号に基づいて、踏段スイッチ１６ｄが動作した瞬間のエスカレータ１の様子を静止画として撮像するようになっている。
【００２３】
デジタルスチルカメラ１４は、被写体となるエスカレータ１の全体を撮像できるように、例えばエスカレータ１が設置された建物の天井等に取り付けられている。そして、このデジタルスチルカメラ１４は、上述したようにインレットスイッチ１６ａやスカートガードスイッチ１６ｂ、コムスイッチ１６ｃ、踏段スイッチ１６ｄ等の各種安全スイッチ（以下、これらを総称する場合は安全スイッチ１６と表記する。）が動作したタイミングでカメラコントローラ１５から送信されるシャッタオン信号を受信して、安全スイッチ１６が動作した瞬間のエスカレータ１の様子を静止画として撮像する。
【００２４】
ここで、以上のようなデジタルスチルカメラ１４によりエスカレータ１を被写体とした静止画を撮像する処理について、図２を参照して更に詳細に説明する。
【００２５】
図２に示すように、インレットスイッチ１６ａやスカートガードスイッチ１６ｂ、コムスイッチ１６ｃ、踏段スイッチ１６ｄ等の各種安全スイッチ１６は、制御盤８の動作制御回路１３に接続されている。そして、これら各種安全スイッチ１６のうちの何れかが動作すると、動作制御回路１３による処理に応じて駆動機７のモータへの給電が遮断されて駆動力が失われると共に電磁ブレーキの制動力が作用して、エスカレータ１の運転が停止される。また、このとき、動作制御回路１３からカメラコントローラ１５に対して安全スイッチ動作信号が送信される。
【００２６】
カメラコントローラ１５は、動作制御回路１３からの安全スイッチ動作信号を受信すると、建物の天井等に取り付けられているデジタルスチルカメラ１４に対してシャッタオン信号を送信する。このシャッタオン信号は、例えばカメラコントローラ１５とデジタルスチルカメラ１４とを伝送ケーブルで接続して、この伝送ケーブルを介して送信するようにしてもよいし、また、赤外線に重畳した遠隔操作信号として送信するようにしてもよい。
【００２７】
デジタルスチルカメラ１４は、カメラコントローラ１５からのシャッタオン信号を受信すると、安全スイッチ１６が動作した瞬間のエスカレータ１の様子を静止画として撮像する。これにより、安全スイッチ１６の動作原因、すなわち、エスカレータ１の可動部に乗客の手足や荷物等が挟み込まれたことに起因して安全スイッチ１６が動作したのか、或いは、乗客の不正な乗り方やいたずら等によって安全スイッチ１６が動作したのかが分かる画像が撮像されることになる。デジタルスチルカメラ１４は、このような安全スイッチ１６が動作した瞬間のエスカレータ１の様子を示す画像を撮像すると、この画像のデータをカメラコントローラ１５に送信する。この画像データは、カメラコントローラ１５に設けられた内部メモリ等に保存される。
【００２８】
カメラコントローラ１５は、例えばパーソナルコンピュータ等のようなディスプレイを備えた情報処理装置（画像表示手段）１８と接続可能となっている。そして、カメラコントローラ１５は、情報処理装置１８からデータ要求信号が送信されると、これに応じて指定された画像データを内部メモリから読み出して、情報処理装置１８に送信するようになっている。これにより、情報処理装置１８のディスプレイに、安全スイッチ１６が動作した瞬間のエスカレータ１の様子を示す画像が表示されることになる。
【００２９】
以上説明したように、本発明を適用したエスカレータ１では、当該エスカレータ１の全体を撮像できる建物の天井等にデジタルスチルカメラ１４が設置されて、インレットスイッチ１６ａやスカートガードスイッチ１６ｂ、コムスイッチ１６ｃ、踏段スイッチ１６ｄ等の各種安全スイッチ１６の何れかが動作した瞬間の当該エスカレータ１の様子がこのデジタルスチルカメラ１４によって撮像されるようになっており、このデジタルスチルカメラ１４によって撮像された画像を情報処理装置１８のディスプレイ等に表示できるようになっているので、当該エスカレータ１が設置された現場の管理者や当該エスカレータ１を納入した業者等は、この画像を参照することで安全スイッチ１６の動作原因を容易に解明することができ、その動作原因に応じた適切な対策を講じることが可能となる。
【００３０】
また、このエスカレータ１では、安全スイッチ１６が動作した瞬間の当該エスカレータ１の様子をデジタルスチルカメラ１４を用いて静止画として撮像するようにしているので、例えば、エスカレータの利用状況をビデオカメラを用いて動画としてビデオテープに記録する場合等に懸念されるコスト的な問題や操作の煩雑さといった問題を生じさせることなく、シンプルで且つ安価な構成で所望の目的を達成することができる。
【００３１】
なお、以上は、本発明の一適用例を説明したものであって、本発明が以上の例に限定されるものではなく、細部において様々な変更が可能である。例えば、以上の例では、デジタルスチルカメラ１４の動作を制御するカメラコントローラ１５がエスカレータ１の制御盤８に組み込まれているが、建物にエスカレータ１の運行を監視する監視室が設けられ、この監視室に監視盤が設置されている場合には、カメラコントローラ１５をこの監視盤に組み込むようにしてもよい。
【００３２】
また、以上の例では、デジタルスチルカメラ１４で撮像された画像のデータがカメラコントローラ１５に送信されて、カメラコントローラ１５の内部メモリに保存されるようになっているが、デジタルスチルカメラ１４で撮像された画像のデータをデジタルスチルカメラ１４自体の内部メモリに保存するようにして、必要な場合にデジタルスチルカメラ１４を取り外して画像を参照するようにしてもよい。ただし、デジタルスチルカメラ１４で撮像された画像のデータをカメラコントローラ１５の内部メモリに保存しておき、必要に応じて情報処理装置１８のディスプレイ等に画像を表示させるようにすれば、デジタルカメラ１４の取り外しが不要となるのでより便利である。
【００３３】
また、以上の例では、カメラコントローラ１５にディスプレイを有する情報処理装置１８を接続し、デジタルスチルカメラ１４で撮像された画像を情報処理装置１８のディスプレイに表示させるようにしているが、例えばカメラコントローラ１５にプリンタを接続し、デジタルスチルカメラ１４で撮像された画像をプリントアウトするようにしてもよい。
【００３４】
（第２の実施形態）
次に、本発明を適用した第２の実施形態のエスカレータについて、図３を参照して説明する。この第２の実施形態のエスカレータは、インレットスイッチ１６ａに特化したデジタルスチルカメラ１４ａ、スカートガードスイッチ１６ｂに特化したデジタルスチルカメラ１４ｂ、コムスイッチ１６ｃに特化したデジタルスチルカメラ１４ｃ、踏段スイッチ１６ｄに特化したデジタルスチルカメラ１４ｄといったように、各安全スイッチ１６に特化した複数のデジタルスチルカメラ１４ａ，１４ｂ，１４ｃ，１４ｄがそれぞれ設置されて、これら複数のデジタルスチルカメラ１４ａ，１４ｂ，１４ｃ，１４ｄの各々が、対応する安全スイッチ１６の近傍の様子を示す拡大画像を撮像するようになっている。その他の構成については、上述した第１の実施形態のエスカレータ１と同様であるので、第１の実施形態のエスカレータ１と同様の部分は図中同一の符号を付して重複した説明は省略する。
【００３５】
この第２の実施形態のエスカレータでは、各種安全スイッチ１６のうちの何れかが動作すると、制御盤８の動作制御回路１３からカメラコントローラ１５に対して安全スイッチ動作信号が送信されると共に、動作した安全スイッチ１６を特定するための動作スイッチ特定信号が送信される。
【００３６】
カメラコントローラ１５は、動作制御回路１３から安全スイッチ動作信号及び動作スイッチ特定信号を受信すると、各種安全スイッチ１６のうちで動作した安全スイッチを特定してこれに対応するデジタルスチルカメラ１４を選択し、選択したデジタルスチルカメラ１４に対してシャッタオン信号を送信する。
【００３７】
動作した安全スイッチ１６に対応するデジタルスチルカメラ１４は、カメラコントローラ１５からのシャッタオン信号を受信すると、安全スイッチ１６が動作した瞬間の当該安全スイッチ１６近傍の様子を拡大画像として撮像する。このデジタルスチルカメラ１４により撮像された拡大画像のデータは、カメラコントローラ１５に送信されて、カメラコントローラ１５に設けられた内部メモリ等に保存される。そして、必要に応じて、デジタルスチルカメラ１４により撮像された拡大画像のデータが、カメラコントローラ１５から情報処理装置１８に送信され、情報処理装置１８のディスプレイに、安全スイッチ１６が動作した瞬間の当該安全スイッチ１６近傍の様子を示す拡大画像が表示されることになる。
【００３８】
以上説明したように、この第２の実施形態のエスカレータでは、安全スイッチ１６が動作した瞬間の当該安全スイッチ１６近傍の様子が、この安全スイッチ１６に特化したデジタルスチルカメラ１４によって拡大画像として撮像され、この拡大画像が情報処理装置１８のディスプレイに表示できるようになっているので、この拡大画像を用いて安全スイッチ１６の動作原因を更に容易に且つ詳細に解明することが可能となる。
【００３９】
（第３の実施形態）
次に、本発明を適用した第３の実施形態のエスカレータについて、図４を参照して説明する。この第３の実施形態のエスカレータでは、デジタルスチルカメラ１４がアクチュエータ１９を介して建物の天井等に設置されており、このアクチュエータ１９の駆動によってデジタルカメラ１４の撮影角度が調整可能となっている。そして、各種安全スイッチ１６のうちの何れかが動作したときに、この動作した安全スイッチ１６近傍の様子を示す拡大画像をデジタルスチルカメラ１４によって撮像できるように、アクチュエータ１９を駆動制御してデジタルスチルカメラ１４の撮影角度を調整するようになっている。その他の構成については、上述した第１の実施形態のエスカレータ１と同様であるので、第１の実施形態のエスカレータ１と同様の部分は図中同一の符号を付して重複した説明は省略する。
【００４０】
この第３の実施形態のエスカレータでは、各種安全スイッチ１６のうちの何れかが動作すると、制御盤８の動作制御回路１３からカメラコントローラ１５に対して安全スイッチ動作信号が送信されると共に、動作した安全スイッチを特定するための動作スイッチ特定信号が送信される。
【００４１】
カメラコントローラ１５は、動作制御回路１３から安全スイッチ動作信号及び動作スイッチ特定信号を受信すると、各種安全スイッチ１６のうちで動作した安全スイッチを特定して、この動作した安全スイッチ１６近傍がデジタルスチルカメラ１４の視野内に入るように、アクチュエータ１９を駆動制御する。具体的には、アクチュエータ１９がカメラコントローラ１５からの駆動制御信号に応じてデジタルスチルカメラ１４の撮影角度（例えば俯角）を調整することで、動作した安全スイッチ近傍がデジタルスチルカメラ１４の視野内に入るようにする。そして、カメラコントローラ１５は、撮影角度が調整されたデジタルスチルカメラ１４に対してシャッタオン信号を送信する。
【００４２】
撮影角度が調整されたデジタルスチルカメラ１４は、カメラコントローラ１５からのシャッタオン信号を受信すると、安全スイッチが動作した瞬間の当該安全スイッチ近傍の様子を拡大画像として撮像する。このデジタルスチルカメラ１４により撮像された拡大画像のデータは、カメラコントローラ１５に送信されて、カメラコントローラ１５に設けられた内部メモリ等に保存される。そして、必要に応じて、デジタルスチルカメラ１４により撮像された拡大画像のデータが、カメラコントローラ１５から情報処理装置１８に送信され、情報処理装置１８のディスプレイに、安全スイッチが動作した瞬間の当該安全スイッチ近傍の様子を示す拡大画像が表示されることになる。
【００４３】
以上説明したように、この第３の実施形態のエスカレータでは、デジタルスチルカメラ１４の撮影角度がアクチュエータ１９によって調整され、安全スイッチ１６が動作した瞬間の当該安全スイッチ１６近傍の様子がデジタルスチルカメラ１４によって拡大画像として撮像され、この拡大画像が情報処理装置１８のディスプレイに表示できるようになっているので、この拡大画像を用いて安全スイッチ１６の動作原因を更に容易に且つ詳細に解明することが可能となる。
【００４４】
なお、以上説明した例では、各種安全スイッチ１６のうちの何れかが動作したときに、動作した安全スイッチ１６近傍の拡大画像のみを撮像するようになっているが、各種安全スイッチ１６のうちの何れかが動作したときに、まず、エスカレータ全体の画像をデジタルカメラ１４で撮像し、その後、デジタルスチルカメラ１４の撮影角度を調整して、動作した安全スイッチ１６近傍の拡大画像を撮像するようにしてもよい。この場合には、安全スイッチ１６が動作した瞬間のエスカレータ全体の画像と動作した安全スイッチ１６近傍の拡大画像の双方を表示できるので、安全スイッチ１６の動作原因をより詳細に解明することが可能となる。
【００４５】
【発明の効果】
本発明によれば、安全装置が動作した瞬間の乗客コンベアの様子を静止画として撮像するようになっているので、シンプルで且つ安価な構成で乗客コンベアの利用状況を監視して、安全スイッチが動作したときにはその動作原因を容易に解明することができ、その動作原因に応じた適切な対策を講じることが可能となる。
【図面の簡単な説明】
【図１】本発明を適用したエスカレータを示す全体構成図。
【図２】前記エスカレータに適用される監視システムの一例を示すシステム構成図。
【図３】前記エスカレータに適用される監視システムの他の例を示すシステム構成図。
【図４】前記エスカレータにて適用される監視システムの更に他の例を示すシステム構成図。
【符号の説明】
１　　エスカレータ
８　制御盤
１４　デジタルスチルカメラ（画像撮像手段）
１５　カメラコントローラ（撮像制御手段）
１６　安全スイッチ
１６ａ　インレットスイッチ
１６ｂ　スカートガードスイッチ
１６ｃ　コムスイッチ
１６ｄ　踏段スイッチ
１８　情報処理装置（画像表示手段）
１９　アクチュエータ
【図１】
2004018167.tif 000003
【図２】
2004018167.tif 000004
【図３】
2004018167.tif 000005
【図４】
2004018167.tif 000006